(57)【特許請求の範囲】
【請求項１】
対向配置される二枚の側板と、これら側板の対向する側辺間にそれぞれ回動可能に連結された折畳側板と、一方の側板の下辺に対して回動可能に連結されたあおり底板と、この一方の側板の下辺より上方の中間部の位置に回動可能に連結され、あおり底板と略同様の矩形状の外郭に形成され、中央部に全体的に開口された開口部が形成されたあおり枠板と、あおり底板とあおり枠板との先端部を連結し、これらあおり底板とあおり枠板とを平行に保った状態で互いの回動状態を連動させる連動板とを具備し、
折畳側板を延ばし、側板と折畳側板とによって平面視矩形状の枠壁を形成した状態で、この枠壁内にあおり底板およびあおり枠板を倒し込んで連動板の部分を他方の側板の内面に当接した状態で組み立てられるように、他方の側板の内面には、あおり枠板を固定する戻り止めリブが突設され、
戻り止めリブと緩衝しないように他方の側板を撓ませてあおり底板およびあおり枠板をはね上げ、あおり底板、あおり枠板および連動板を側板の内面に折り畳んだ状態で、折畳側板を折り曲げて折り畳まれるようになされたことを特徴とする折り畳みコンテナ。
【請求項２】
二枚の側板の外面側に、互いに嵌合し合う凹凸部が形成され、折り畳み状態のコンテナが、この凹凸部の嵌合によって積み重ねられるようになされた請求項１記載の折り畳みコンテナ。
【発明の詳細な説明】
【０００１】
【発明の属する技術分野】
本発明は、物品の輸送、運搬などに用いられ、折り畳み可能となされた合成樹脂製の折り畳みコンテナに関するものである。
【０００２】
【従来の技術】
従来より、物品の輸送、運搬時などに箱状に組立可能となされ、保管時に折り畳み可能となされた合成樹脂製の折り畳みコンテナとしては、対向配置される二枚の側板と、これら側板の対向する側辺間にそれぞれ回動可能に連結された折畳側板と、一方の側板の下辺に対して回動可能に連結されたあおり底板とを具備したものが知られている（例えば、実開昭５８−９２９号公報、実開昭５８−９３１号公報参照）。
【０００３】
この折り畳みコンテナは、折畳側板を延ばし、側板と折畳側板とによって平面視矩形状の枠壁を形成した状態で、この枠壁内にあおり底板を倒し込んで、このあおり底板の先端辺を側板の内面に当接した状態で組み立てられるようになされていた。
【０００４】
【発明が解決しようとする課題】
しかし、上記従来のようにして折り畳む形式のコンテナは、側板の幅よりも高さの方が大きく設定された縦型の折り畳みコンテナであるため、折畳側板を延ばして側板と折畳側板とによって平面視矩形状に枠壁を形成した状態で、枠壁全体が撓み易くなる。しかも、この枠壁は、この枠壁内に倒し込んだあおり底板の周辺部が側板および折畳側板の内面に接することによって維持されているだけなので、このようにして組み立てた折り畳みコンテナは、組立状態が安定せず、充分な強度が得られないといった不都合を生じることとなる。
【０００５】
本発明は、係る実情に鑑みてなされたものであって、充分な強度が得られ、しかも安定した組立状態が得られることのできる折り畳みコンテナを提供することを目的としている。
【０００６】
【課題を解決するための手段】
上記課題を解決するための本発明の折り畳みコンテナは、対向配置される二枚の側板と、これら側板の対向する側辺間にそれぞれ回動可能に連結された折畳側板と、一方の側板の下辺に対して回動可能に連結されたあおり底板と、この一方の側板の下辺より上方の中間部の位置に回動可能に連結され、あおり底板と略同様の矩形状の外郭に形成され、中央部に全体的に開口された開口部が形成されたあおり枠板と、あおり底板とあおり枠板との先端部を連結し、これらあおり底板とあおり枠板とを平行に保った状態で互いの回動状態を連動させる連動板とを具備し、折畳側板を延ばし、側板と折畳側板とによって平面視矩形状の枠壁を形成した状態で、この枠壁内にあおり底板およびあおり枠板を倒し込んで連動板の部分を他方の側板の内面に当接した状態で組み立てられるように、他方の側板の内面には、あおり枠板を固定する戻り止めリブが突設され、戻り止めリブと緩衝しないように他方の側板を撓ませてあおり底板およびあおり枠板をはね上げ、あおり底板、あおり枠板および連動板を側板の内面に折り畳んだ状態で、折畳側板を折り曲げて折り畳まれるようになされたものである。また、上記折り畳みコンテナにおいて、二枚の側板の外面側に、互いに嵌合し合う凹凸部が形成され、折り畳み状態のコンテナが、この凹凸部の嵌合によって積み重ねられるようになされたものである。
【０００７】
【発明の実施の形態】
以下、本発明の実施の形態を図面を参照して説明する。
【０００８】
図１は折り畳みコンテナ（以下、単にコンテナと言う。）１を組み立てた状態の斜視図、図２は同コンテナ１の分解斜視図、図３は同コンテナ１を組立状態から折畳状態へと移行する各段階の断面図、図４は同コンテナ１の組立状態を固定する部分の部分拡大断面図、図５は折り畳んだコンテナ１の積み重ね状態を説明する斜視図を示している。
【０００９】
すなわち、このコンテナ１は、側板２、折畳側板３、あおり底板４、あおり枠板５および連動板６を具備して構成されている。
【００１０】
側板２は、幅Ｗよりも高さＨの方が大きく設定された縦型の長方形状に形成されており、一対となった前面側板２ａと背面側板２ｂとによって構成されている。この前面側板２ａおよび背面側板２ｂの両側辺には、互いに平行するように直角方向に若干突出した突出片２１ａ、２１ｂが形成されている。また、この突出片２１ａ、２１ｂの内側には、折畳側板３に連結するためのヒンジ部２２ａ、２２ｂがそれぞれ形成されている。
【００１１】
前面側板２ａは、上辺部から高さＨの半分位までの深さが切り欠かれて切欠部２０ａが形成されている。また、前面側板２ａの外面は、リブ２３１ａによって複数の区画部２３ａに区画されている。さらに、前面側板２ａの内面には、後述するあおり枠板５を固定する戻り止めリブ２４ａが突設されている。
【００１２】
一方、背面側板２ｂは、外面に、前面側板２ａの切欠部２０ａに嵌合可能な凸部２０ｂと、前面側板２ａの区画部２３ａに嵌合可能な凸部２３ｂとが突設されている。この凸部２０ｂ、２３ｂは、図３に示すように、背面側板２ｂの外面に、凸部２０ｂ、２３ｂの分だけ厚肉となるように成形したものであっても良いし、このように厚肉とせずに背面側板２ｂ自身が外面に突出して凸部２０ｂ、２３ｂを形成するように成形したものであっても良い。また、背面側板２ｂの内面側の下辺には、あおり底板４を連結するための連結軸部２４ｂが形成されている。さらに、この連結軸部２４ｂのさらに上方の位置には、あおり枠板５を連結するための連結軸部２５ｂが形成されている。
【００１３】
折畳側板３は、上記側板２と同一高さＨの縦型の長方形状に形成された二枚の側板片３０が、隣接する側辺間に設けられたヒンジ部３１で回動可能に連結されることによって折り畳み可能となされている。また、これら側板片３０の残る側辺、すなわち、折畳側板３の両側辺にもヒンジ部３２が形成されている。この折畳側板３は、対向配置された前面側板２ａと背面側板２ｂとの対向する突出片２１ａ、２１ｂと面一となるように、それぞれ配置される。そして、この折畳側板３のヒンジ部３２と、前面側板２ａおよび背面側板２ｂのヒンジ部２２ａ、２２ｂとが連結される。
【００１４】
このようにして連結された側板２と折畳側板３とは、折畳側板３を折り畳んだ状態で、前面側板２ａと背面側板２ｂとの突出片２１ａ、２１ｂの間に折畳側板３を収納でき、折畳側板３を延ばした状態で、この側板２と折畳側板３とによって平面視矩形状の枠壁を構成できるようになされている。
【００１５】
あおり底板４は、側板２と折畳側板３とによって平面視矩形状の枠壁を形成した際にこの枠壁の底面に合致するようになされた矩形状に形成されている。このあおり底板４は、一側辺に軸受部４１が形成されており、この軸受部４１が、背面側板２ｂの内面側の下辺に形成された連結軸部２４ｂに回動可能に連結される。また、この軸受部４１が形成された一側辺に対向するあおり底板４の他側辺には、連結板６を連結するためのヒンジ部４２が形成されている。
【００１６】
あおり枠板５は、あおり底板４と略同様の矩形状の外郭に形成されており、中央部に全体的に開口された開口部５０が形成されている。このあおり枠板５も、一側辺に軸受部５１が形成されており、この軸受部５１が、上記あおり底板４を連結した背面側板２ｂの連結軸部２４ｂの上方に形成した連結軸部２５ｂに回動可能に連結される。また、この軸受部５１が形成された一側辺に対向するあおり枠板５の他側辺には、連結板６を連結するためのヒンジ部５２が形成されている。
【００１７】
連動板６は、あおり底板４とあおり枠板５とを平行に保った状態で、これらあおり底板４とあおり枠板５との間に連結される板状に形成されており、ヒンジ部６１を介してあおり底板４のヒンジ部４２とあおり枠板５のヒンジ部５２との間に回動可能に連結される。この連動板６としては、あおり底板４とあおり枠板５とを平行に保って互いの回動状態を連動させることができるものであれば、特にその形状を限定されるものではない。また、本実施の形態では、一枚の連動板６によってあおり底板４とあおり枠板５とを連結しているが、この連動板６としては、二枚以上であっても良い。
【００１８】
このようにして構成されるコンテナ１は、図３（ａ）に示すように、側板２と折畳側板３とによって形成される枠壁内に、あおり底板４およびあおり枠板５を倒し込んだ状態で、前面側板２ａの内面に連動板６が当接されて組み立てられることとなる。この組立状態において、コンテナ１の側板２と折畳側板３とによって形成される枠壁は、この枠壁の下辺の位置で、あおり底板４によって固定されるとともに、この下辺よりも上方の中間部の位置で、あおり枠板５によって固定されることとなるので、撓みを生じ難くなり、充分な強度が得られることとなる。また、この枠壁を固定するあおり底板４とあおり枠板５とは、連動板６によって連結されており、この連結板６が側板２の内面に当接した状態で組み立てられるので、コンテナ１は、安定した組立状態が得られることとなる。
【００１９】
また、この組立状態は、図４に示すように、あおり枠板５が、前面側板２ａの戻り止めリブ２３ａを乗り越えた位置で、この戻り止めリブ２３ａによって固定されることで維持される。したがって、コンテナ１の使用中に、あおり底板４が何かで突き上げられるようなことがあっても、あおり底板４、あおり枠板５および連動板６が折り畳まれて組立状態が解除されるといったことを防止することができる。そのため、この組立状態を解除する場合は、戻り止めリブ２３ａがあおり枠板５に緩衝しないように、前面側板２ａを撓ませた状態としておいて、あおり底板４、あおり枠板５および連動板６を引き上げて、これらあおり底板４、あおり枠板５および連動板６を、図３（ｂ）に示すように、背面側板２ｂの内面に折り畳む。その後、図３（ｃ）に示すように、折畳側板３を折り畳んで、前面側板２ａと背面側板２ｂとの突出片２１ａ、２１ｂの間に折畳側板３を収納して折り畳まれる。また、このようにして折り畳んだコンテナ１は、図５に示すように、前面側板２ａの切欠部２０ａおよび区画部２３ａに、背面側板２ｂの凸部２０ｂ、２３ｂを嵌合することで、荷崩れすることなく大量に積み重ねることができる。
【００２０】
なお、本実施の形態では、前面側板２ａに切欠部２０ａが形成されているため、コンテナ１内に手を深く挿し入れて物品（図示省略）の出し入れが容易に行えるようになされているが、この切欠部２０ａとしては、特に必要とされるものではないので、前面側板２ａは、背面側板２ｂと同様に形成されたものであっても良い。
【００２１】
また、本実施の形態では、背面側板２ｂにあおり底板４およびあおり枠板５を連結しているが、これらあおり底板４およびあおり枠板５を、前面側板２ａに連結するものであっても良い。
【００２２】
さらに、本実施の形態では、各部材同士の連結部分がヒンジ構造となっているが、この連結部分としては、部材間に可撓性樹脂フィルムを貼設して連結し、この可撓性樹脂フィルムの可撓性によって回動可能に連結したものであっても良い。
【００２３】
【発明の効果】
以上述べたように、本発明によると、折畳側板を延ばし、側板と折畳側板とによって平面視矩形状の枠壁を形成した状態で、この枠壁内にあおり底板およびあおり枠板を倒し込んであおり枠板が戻り止めリブを乗り越えた位置でこの戻り止めリブによってあおり枠板が固定され、連動板の部分を側板の内面に当接した状態で組み立てられるので、枠壁は、この枠壁の下辺の位置で、あおり底板によって固定されるとともに、この下辺よりも上方の中間部の位置で、あおり枠板によって固定されることとなるので、撓みを生じ難くなり、充分な強度が得られることとなる。
【００２４】
また、この枠壁を固定するあおり底板とあおり枠板とは、連動板によって連結されており、この連結板が側板の内面に当接した状態で組み立てられるので、安定した組立状態が得られることとなる。
【００２５】
さらに、二枚の側板の外面側に、互いに嵌合し合う凹凸部を形成することで、折り畳み状態のコンテナを、この凹凸部の嵌合によって、安定した状態に積み重ねることが可能となる。
【図面の簡単な説明】
【図１】折り畳みコンテナの全体構成の概略を示す斜視図である。
【図２】折り畳みコンテナの全体構成の概略を示す分解斜視図である。
【図３】（ａ）ないし（ｃ）は、折り畳みコンテナの組立状態から折畳状態へと移行する各段階を示す断面図である。
【図４】折り畳みコンテナの組立状態の一部を示す部分拡大断面図である。
【図５】折り畳みコンテナを折り畳んで積み重ねる状態を説明する斜視図である。
【符号の説明】
１  折り畳みコンテナ
２  側板
２ａ  前面側板
２ｂ  背面側板
２０ａ  切欠部（凹部）
２３ａ  区画部（凹部）
２０ｂ  凸部
２３ｂ  凸部
３  折畳側板
４  あおり底板
５  あおり枠板
６  連動板
【図１】
0003921554.tif 000002
【図２】
0003921554.tif 000003
【図３】
0003921554.tif 000004
【図４】
0003921554.tif 000005
【図５】
0003921554.tif 000006